(57)【要約】      （修正有）【課題】盗難防止効果を有し、操作が容易な窓固定具を提供する。【解決手段】窓固定具は、固定支持構造、本体ソケット、制御部材、バネ３０及び後固定ブロック４の構成部材から構成される。使用者は、本体ソケットの下凸縁２１を利用して支持構造の固定溝の下固定フック部にフックさせ、制御部材３を押圧して、制御ブロック３１にバネ３０を押下させて下向きに移動させ、本体ソケットを第１横引き窓に当接し、制御部材３の押圧を停止し、バネ３０の弾性回復力により制御部材３を上向きに移動させ、その上フックブロックにより固定支持構造の固定溝の上固定フック部にフックし、本体ソケットを固定支持構造から離脱不可能にし、本体ソケットを利用して第２横引き窓を横方向に開放不可能にする。第２横引き窓が横方向の開放状態を回復可能にする時、制御部材３の上フックブロック３１１を押圧し、前記固定支持構造の固定溝の上固定フック部から離脱させて取り外しできる。【選択図】図７
0003191613.tif 000002
【実用新案登録請求の範囲】
【請求項１】
固定支持構造であり、ロック部材によりアルミドア窓の第１横引き窓の窓枠下方に固定され、前記固定支持構造が少なくとも固定溝を設け、前記固定溝は、それぞれ上固定フック部及び下固定フック部を有する固定支持構造と、
本体ソケットであり、その後側下縁下向きに下凸縁を突出し、前記固定支持構造の固定溝の下固定フック部にフックすることに用い、該本体ソケットは、内収容溝及び前記内収容溝と連通する上貫通溝を有し、制御部材を組み付けることに用い、且つ前記内収容溝下方は、狭小部位を有し、前記本体ソケットは、前記狭小部位両側に隣り合う限位ブロックを有し、前記本体ソケットの内収容溝後側が開放状態を停止、後固定ブロックを接合する本体ソケットと、
制御ブロック及び制御ブロックから上向きに凸設する押圧部を含み、前記制御ブロックの後側は、上向きに上フックブロックを突出し、該制御ブロックの下方に下ガイド柱を有し、また、前記制御ブロックの押圧部に対応する下方にバネ固定溝を有し、バネの上端を当接させる制御部材と、
その上端が制御部材に当接し、その下端が本体ソケットの内収容溝の狭小部位下端の隣り合う内壁に当接するバネと、
後固定ブロックであり、スタンピング又はロック固定により本体ソケットと接合固定され、且つ該後固定ブロックは、ガイド溝を有し、制御部材の下ガイド柱を前記ガイド溝に沿って上下滑動させる後固定ブロックと、
を含むことを特徴とする窓固定具。
【請求項２】
前記本体ソケットの一側面に更に耐震動パッドを接合することを特徴とする請求項１に記載の窓固定具。
【請求項３】
前記本体ソケットの他側壁に更に、内螺子孔を設け、前記内螺子孔は、前記本体ソケットの内収容溝と連通し、前記内螺子孔を介して螺子を螺合することができ、前記螺子のねじ山部を制御部材の制御ブロック下方に位置させ、前記制御部材をブロックさせることを特徴とする請求項１に記載の窓固定具。
【考案の詳細な説明】
【技術分野】
【０００１】
本考案は、窓固定具に関し、特に、横引き窓が開けられることを防止し、盗難防止及びセキュリティの作用を具えるアルミドア窓の横引き窓の窓固定具に関する。
【背景技術】
【０００２】
同一考案者が出願し、実用新案登録されている従来の実用新案登録第３１４９６２６号の「窓固定具」の考案は、それぞれ窓レールに固定するロック具の関連技術内容を開示しているが、それは、窓レールに固定され、比較的大きな外力を受ける時、緩む虞があり、且つ構成部材が比較的多く、組み立てが比較的面倒である。
【先行技術文献】
【特許文献】
【０００３】
【特許文献１】実用新案登録第３１４９６２６号公報
【考案の概要】
【考案が解決しようとする課題】
【０００４】
本考案は、これに鑑み、絶え間ない研究改良を経て、窓固定具を考案設計している。本考案の目的は、安定性が高く、横引き窓を確実にブロックすることができ、外力に押し開かれることを回避し、相対して良好な盗難防止の効果を有することにある。
【０００５】
本考案のもう１つの目的は、構成部材が少なく、組み立てが容易で、人的工程時間を低減することができ、相対してコストを低減し、製品競争力を向上することにある。
本考案の更にもう１つの目的は、制御部材を更に固定することができ、幼児が横引き窓を開放することを防止し、幼児が墜落する事故の発生を回避する安全効果を具えることにある。
本考案のまた更にもう１つの目的は、該固定支持構造が複数の固定溝を有し、異なる位置に選択固定させることができ、相対して横引き窓を開く距離を選択調整する目的を達成することにある。
【課題を解決するための手段】
【０００６】
上記課題を解決するために、本考案の請求項１の考案の窓固定具は、固定支持構造であり、ロック部材によりアルミドア窓の第１横引き窓の窓枠下方に固定され、前記固定支持構造が少なくとも固定溝を設け、前記固定溝は、それぞれ上固定フック部及び下固定フック部を有する固定支持構造と、本体ソケットであり、その後側下縁下向きに下凸縁を突出し、前記固定支持構造の固定溝の下固定フック部にフックすることに用い、該本体ソケットは、内収容溝及び前記内収容溝と連通する上貫通溝を有し、制御部材を組み付けることに用い、且つ前記内収容溝下方は、狭小部位を有し、前記本体ソケットは、前記狭小部位両側に隣り合う限位ブロックを有し、前記本体ソケットの内収容溝後側が開放状態を停止、後固定ブロックを接合する本体ソケットと、
制御ブロック及び制御ブロックから上向きに凸設する押圧部を含み、前記制御ブロックの後側は、上向きに上フックブロックを突出し、該制御ブロックの下方に下ガイド柱を有し、また、前記制御ブロックの押圧部に対応する下方にバネ固定溝を有し、バネの上端を当接させる制御部材と、その上端が制御部材に当接し、その下端が本体ソケットの内収容溝の狭小部位下端の隣り合う内壁に当接するバネと、後固定ブロックであり、スタンピング又はロック固定により本体ソケットと接合固定され、且つ該後固定ブロックは、ガイド溝を有し、制御部材の下ガイド柱を前記ガイド溝に沿って上下滑動させる後固定ブロックを設けたことを特徴とする窓固定具である。
【０００７】
請求項２の考案は、請求項１に記載の窓固定具において、前記本体ソケットの一側面に更に耐震動パッドを接合することを特徴する。
請求項３の考案は、請求項１に記載の窓固定具において、前記本体ソケットの他側壁に更に、内螺子孔を設け、前記内螺子孔は、前記本体ソケットの内収容溝と連通し、前記内螺子孔を介して螺子を螺合することができ、前記螺子のねじ山部を制御部材の制御ブロック下方に位置させ、前記制御部材をブロックさせることを特徴する。
【考案の効果】
【０００８】
上記のように、本考案は、以下の増進効果を有する：
１．安定性が高く、第１、第２横引き窓５０、５０’を確実にブロックすることができ、外力で押し開かれることを回避し、相対して良好な盗難防止効果を有する。
２．構成部材が少なく、組み合わせが容易で人的工程時間を低減し、相対してコストを低減し、製品競争力を向上する。
３．制御部材３を更に固定させ、幼児が横引き窓５０，５０’を開放することを防止し、相対して、幼児の墜落事故の発生を回避する安全効果を有する。
４．固定支持構造１は、複数の固定溝１１を設け、異なる位置の選択位置を提供し、相対して第１、第２横引き窓５０，５０’の開く距離を選択的調整の目的を達成する。
【図面の簡単な説明】
【０００９】
【図１】本考案の実施例の固定支持構造の背面立体図である。
【図２】本考案の実施例の固定支持構造の他の角度からの立体組み合わせ図である。
【図３】本考案の実施例の固定支持構造の他の角度からの立体組み合わせ図である。
【図４】本考案の実施例の固定支持構造の立体分解図である。
【図５】本考案の実施例の制御部材の他の角度からの立体図である。
【図６】本考案の実施例の本体ソケット、制御部材、バネ及び後固定ブロックの俯瞰組み合わせ平面図である。
【図７】図６のＡ−Ａ断面説明図である。
【図８】本考案の実施例の立体組み合わせ図である。
【図９】本考案の実施例の背面立体組み合わせ図である。
【図１０】本考案の実施例のアルミドア窓の立体説明図である。
【考案を実施するための形態】
【００１０】
以下、本考案の窓固定具の実施例を図面に基づいて説明する。
図１〜図１０に示すように、本考案の窓固定具は、固定支持構造１であり、ロック部材１０（更に図１０参照）によりアルミドア窓５（図１０参照）の第１横引き窓５０の窓枠５０１下方に固定され、前記固定支持構造１は、少なくとも１つの固定溝１１を設け、前記固定溝１１は、それぞれ上固定フック部１１１及び下固定フック部１１２を有する固定支持構造１と、本体ソケット２等から構成される。
本体ソケット２は、その後側下縁に下向きに下凸縁２１（図７参照）を突出し、前記固定支持構造１の固定溝１１の下固定フック部１１２（図１、図８、図９参照）にフックすることに用い、該本体ソケット２は、内収容溝２２（図３、図４参照）及び前記内収容溝２２と連通する上貫通溝２３（図２〜図４、図７参照）を有し、制御部材３を組み付けることに用い、且つ前記内収容溝２２下方に狭小部位２２１（図４参照）を有し、前記本体ソケット２は、前記狭小部位２２１両側に隣り合う限位ブロック２２２（図４参照）を有している。
【００１１】
前記本体ソケット２の内収容溝２２後側は、開放状態を呈し、後固定ブロック４を接合し、更に、前記本体ソケット２のうち一側面に更に、粘着又はロック固定等の方式で耐震動パッド２４を接合し、第１横引き窓５０に隣り合う第２横引き窓５０’の窓枠５０１’の側面５０１１’（図１０参照）に接触する時に耐震動効果を具えるようにすることに用いられる本体ソケット２と、制御ブロック３１及び制御ブロック３１から上向きに凸設する押圧部３２を含み、前記制御ブロック３１の後側に上向きに上フックブロック３１１を突出し、該制御ブロック３１の下方に下ガイド柱３３を有し、更に、前記制御ブロック３１の押圧部３２に対応する下方にバネ固定部３１２（図５、図７を更に参照）を有し、バネ３０の上端３０１を当接させる制御部材３が設けられている。
その上端３０１（図４、図７参照）が制御部材３に当接され、その下端３０２が本体ソケット２の内収容溝２２の狭小部位２２１下端の隣り合う内壁２０（図４、図７参照）に当接されるバネ３０と、後固定ブロック４（図４、図５、図７参照）であり、スタンピング又はロック固定により本体ソケット２と接合固定され、且つ該後固定ブロック４は、ガイド溝４１を有し、制御部材３の下ガイド柱３３を前記ガイド溝４１に沿って上下滑動させるよう誘導する後固定ブロック４とから構成されている。
【００１２】
前記構成部材の構成により、使用者は、先ず、本体ソケット２の下凸縁２１を利用して支持構造１のうちの固定溝１１（図１、図８、図９、図１０参照）の下固定フック部１１２にフックさせ、制御部材３を押圧することで、その制御ブロック３１にバネ３０を押下させて下向きに移動させ、その後、本体ソケット２を第１横引き窓５０に当接し、制御部材３の押圧を停止し、バネ３０の弾性回復力により制御部材３を上向きに移動させ、その上フックブロック３１１により前記固定支持構造１の固定溝１１の上固定フック部１１１（図１、図８、図９、図１０参照）にフックし、本体ソケット２を固定支持構造１から離脱できないようにし、本体ソケット２を利用して第２横引き窓５０’を横方向に開放することができないようにし、盗難防止及び安全効果を達成し、反対に、第２横引き窓５０’が横方向の開放状態を回復できるようにする時、ただ制御部材３の上フックブロック３１１を押圧し、前記固定支持構造１の固定溝１１の上固定フック部１１１から離脱させるだけで、取り外しでき、操作が便利で、容易である。
【００１３】
また、前記本体ソケット２の他側壁２５（図４、図７参照）は、更に、内螺子孔２５１を設け、前記内螺子孔２５１は、前記本体ソケット２の内収容溝２２と連通し、前記内螺子孔２５１を介して螺子６（図４、図７参照）をロックすることができ、前記螺子６のねじ山部６１を制御部材３の制御ブロック３１下方に位置させ、前記制御部材３をブロックさせ、盗難防止効果を向上させ、幼児が下向きに押圧することを防止し、相対して更なる安全効果を達成することができる。
【００１４】
上記のように、本考案は、以下の効果を有する：
１．安定性が高く、第１、第２横引き窓５０、５０’を確実にブロックすることができ、外力で押し開かれることを回避し、相対して良好な盗難防止効果を有する。
２．構成部材が少なく、組み合わせが容易で人的工程時間を低減し、相対してコストを低減し、製品競争力を向上する。
３．制御部材３を更に固定させ、幼児が横引き窓５０，５０’を開放することを防止し、相対して、幼児の墜落事故の発生を回避する安全効果を有する。
４．固定支持構造１は、複数の固定溝１１を設け、異なる位置の選択位置を提供し、相対して第１、第２横引き窓５０，５０’の開く距離を選択的調整の目的を達成する。
【符号の説明】
【００１５】
１  固定支持構造（固定フレーム)
１０  ロック部材
１１  固定溝
１１１  上固定フック部
１１２  下固定フック部
２  本体ソケット
２０  内壁
２１  下凸縁
２２  内収容溝
２２１  狭小部位
２２２  限位ブロック
２３  上貫通溝
２４  耐振動(衝撃)パッド
２５  他側壁
２５１  内螺子孔
３  制御部材
３０  バネ
３０１  上端
３０２  下端
３１  制御ブロック
３１１  上フックブロック
３１２  バネ固定部
３２  押圧部
３３  下ガイド柱
４  後固定ブロック
４１  ガイド溝
５  アルミドア窓
５０  第１横引き窓
５０１，５０１’  窓枠
５０’  第２横引き窓
５０１１’  側面
６  螺子
６１  ねじ山部
【図１】
0003191613.tif 000003
【図２】
0003191613.tif 000004
【図３】
0003191613.tif 000005
【図４】
0003191613.tif 000006
【図５】
0003191613.tif 000007
【図６】
0003191613.tif 000008
【図７】
0003191613.tif 000009
【図８】
0003191613.tif 000010
【図９】
0003191613.tif 000011
【図１０】
0003191613.tif 000012